(57)【要約】【課題】従来の欠点がなく、製造の容易さと併せて操作上の信頼性を大幅に向上し、耐用年数を大幅に延長するエスカレータを製造する。【解決手段】本発明は、トレッド面（６）およびライザ面（７）を有するステップ（１’、１）を備えるエスカレータであって、ライザ面（７）にはライザブラシ（３）が配置されているエスカレータに関する。【選択図】      図１
2006143475.tif 000002
【特許請求の範囲】
【請求項１】
トレッド面（６）およびライザ面（７）を有するステップ（１’、１）を備えるエスカレータであって、ライザブラシ（３）がライザ面（７）に配置されていることを特徴とする、エスカレータ。
【請求項２】
ライザブラシは、ライザ面に対してほぼ平行に、ライザ面の全幅に沿って配置されていることを特徴とする、請求項１に記載のエスカレータ。
【請求項３】
ライザブラシは、ライザ面のガイドスロット（４）に沿って移動可能なブラシストリップ（２）に取り付けられていることを特徴とする、請求項１または２に記載のエスカレータ。
【請求項４】
ステップの水平方向の移動中にライザブラシがトレッド面を超えて突出しない位置に、ブラシ復帰ガイド装置（５）により、ライザ面のガイドスロットに沿ってブラシストリップを誘導できることを特徴とする、請求項３に記載のエスカレータ。
【請求項５】
ライザブラシは、合成材料の剛毛または真鍮の金属毛または亜鉛メッキ鋼の金属毛からなり、および／または黄色または赤色であることを特徴とする、請求項１から４のいずれか一項に記載のエスカレータ。
【請求項６】
ライザブラシは、吹きつけ、面への接着、ネジ留め、内部への接着、嵌め込みまたは締め付けでブラシストリップに固定されることを特徴とする、請求項３に記載のエスカレータ。
【請求項７】
ライザ面（７）およびトレッド面（６）を有し、少なくとも１つのライザブラシ（３）がライザ面（７）に配置されていることを特徴とする、エスカレータのステップ（１’１）。
【請求項８】
トレッド面（６）およびライザ面（７）を有するステップ（１’、１）を備えるエスカレータを最新化する方法であって、ライザブラシ（３）がライザ面（７）に取り付けられることを特徴とする、エスカレータを最新化する方法。
【発明の詳細な説明】
【技術分野】
【０００１】
本発明は、特許請求の範囲の独立請求項の定義による、ステップを備えたエスカレータ、エスカレータのステップ、およびエスカレータを最新化する方法に関する。
【背景技術】
【０００２】
従来のエスカレータのステップは、２つの搬送チェーンに固定され、それらチェーンと協働して、エスカレータの両端の各端において搬送チェーンホイールの各対の上を走行する、エンドレスの循環ステップベルトを形成する。この場合、１つの搬送チェーンホイール対は駆動ステーションの構成要素であり、ステップベルトを駆動および偏向し、別のチェーンホイール対はステップベルトの偏向ステーションの一部である。ステップベルトの個々のステップはそれぞれ、２つの前部および２つの後部ガイドローラを装備しており、その位置でステップは、誘導機構と、エスカレータの支持構造に主として固定された偏向曲面とにより、位置に応じて決められる方向に誘導される。
【０００３】
エスカレータのステップは、静止基板により画定される所定の経路に沿って、水平方向に走行する。ステップのトレッド（ｔｒｅａｄ）面上に位置する乗客は先行のステップのライザ（ｒｉｓｅｒ）面と向かい合わせに立つ。出口付近では、後続のステップは先行するステップのライザ面に沿ってスライドし、その結果先行のステップのライザ面および後続のステップのライザ面は同一平面になる。２つのステップの間にリブを設けて、ステップと直立している物体との間の接触面積を最小にする。ただし、このようにしても、２つのステップのリブの間に空隙が存在する。
【０００４】
許容差を補償するために、先行のステップと後続のステップ間に空隙を維持する必要がある。その理由は、相互に接して搬送される２つのステップが大きな摩擦を生じて、許容できない熱を発生し、駆動パワーならびに磨耗を増加させることである。
【０００５】
このため、先行および後続ステップ間に空間または空隙を残す必要がある。
【０００６】
この種の空間または空隙は安全面でリスクを伴う。遊びが存在するため、空隙の幅はさらに大きな範囲に達することがあり、そのため、特に子供の、靴の端、ヒール、スカートのすそ、あるいは手が空隙にはまり込む可能性がある。その結果として、乗客に対する押し潰しその他負傷の危険性が残る。
【０００７】
移動するステップ間の相対運動により生じるライザ付近での乗客の負傷は、従来のエスカレータの重要な問題である。それ以外に、移動するステップ上に位置する物体が向かい合わせのライザ面と接触する場合、物体は、特に上方への移動の場合、摩擦と、先行および後続ステップの同時に起こる相対運動とにより、空隙に引き込まれる。
【０００８】
特開平１１−１７１４６２号公報は、先行するステップのライザ面を清掃するために後続ステップ上に配置されるブラシを開示している。この装置の場合、ブラシはトレッド面の下方に、ある一定の間隔をあけて配置されているため、物体はトレッド面の上にある空隙に挟まれる可能性がある。さらに、ブラシはライザと接触し、ライザを傷つけ騒音の原因となる。加えて、ライザと常時摩擦するため、ブラシの耐用年数はきわめて短いという欠点が明らかにされている。ステップにより作用する力はブラシの構造体に損傷を与え、これによりブラシ形状の安定性が不十分になる。
【特許文献１】特開平１１−１７１４６２号公報
【発明の開示】
【発明が解決しようとする課題】
【０００９】
以上の点より、本発明の目的は、上述の欠点がなく、製造の容易さと併せて操作上の信頼性を大幅に向上し、耐用年数を大幅に延長するエスカレータを製造することである。
【課題を解決するための手段】
【００１０】
本発明によれば、この目的は独立請求項により実現される。有利な展開は従属請求項から明白である。
【００１１】
本発明によれば、ライザブラシは、トレッド面およびライザ面を有する、ステップを備えるエスカレータのライザ面に配置される。
【００１２】
乗客が立つエスカレータステップの表面はトレッド面と呼ばれる。ライザ面は、エスカレータステップの前面の、ほぼ垂直な面である。ライザ面は曲線状、円状または凸状である。先行のステップのライザ面は、エスカレータの上方への移動中は乗客の足と向かい合わせに配置されている。
【００１３】
上述の方法で位置合わせされたライザブラシは、ライザと物体の接触の防止の必要性を示している。ライザブラシは、ライザと物体との接触、同時にライザと後続のステップとの間の空隙への物体のはまり込みを防止する。これに加えて、ライザブラシを使用することにより、２つの意図しない摩擦対象がブラッシングにより分離される。異物、例えば、靴、傘、バッグ、ビニール袋またはその他の物体などは、ライザブラシによりライザから排除され、ライザブラシは、危険領域すなわちステップの空隙から、物体を押し出すかまたはブラシで押しのける。結果として、物体の挟み込みまたは押し込みは不可能となるか、または強力に妨害される。これにより、エスカレータの利用度は大幅に向上し、安全性は大幅に増加する。
【００１４】
移動するステップ間の空隙への侵入が起こる前には、ブラシは、エスカレータ利用者または異物に対してどのような摩擦接触も持たない。特に、２つの隣接するステップ間に相対運動が発生する移動範囲の場合、すなわち水平トレッドが、上方への運動において、その前方で移動するライザに近づくとき、トレッドとライザの間のこの危険な領域におけるあらゆる摩擦接触がブラシにより防止される。
【００１５】
特開平１１−１７１４６２号公報における装置は、ブラシがトレッド面から下方に間隔をあけて配置されているため、これらの目的を達成できない。詳細には、この解決方法は、ライザと物体との摩擦の防止、ならびに後続ステップと先行ステップとの間の空隙への侵入が防止されない欠点を有する。
【００１６】
本発明の好ましい実施形態においては、ライザブラシはライザ面の全幅に沿って、ライザ面に対してほぼ平行に配置されている。
【００１７】
したがって、本発明によるブラシは、ブラシがライザ面とほぼ平行になり、ライザ面に沿って後続のステップのトレッド面の上方に突き出ることによりライザに接触しないように、方向付けされ、取り付けまたは配置される。物体がライザとの摩擦接触状態になる場合のみ、ライザとの接触が発生する。本発明のこの実施形態においては、運動するステップ間の空隙への侵入の前に、２つの物体間のあらゆる摩擦接触も防止される。
【００１８】
本発明の第２の好ましい実施形態においては、ライザブラシは、ガイドスロットまたはライザ面の特定の装置（ｄｅｖｉｃｅ）に沿って運動するブラシストリップに取り付けられる。この実施形態では、ライザ面に対するライザブラシの位置を、ステップが水平状態または上昇走行中に置かれるときに応じて変更できる点が有利である。
【００１９】
本発明の別の好ましい実施形態においては、ブラシ復帰ガイドによりブラシストリップを、ガイドスロットまたはライザ面の特定の装置に沿って誘導し、ステップの水平走行中にライザブラシがライザ面を超えて突出しない位置に戻るようにする。この解決方法では、トレッド面から離れるように誘導されるブラシは乗客との足には接触せず、また目に見えない。
【００２０】
本発明の別の好ましい実施形態においては、ライザブラシは、合成材料の剛毛または真鍮の金属毛または亜鉛メッキ鋼の金属毛からなる。摩擦接触の防止機能は、これらの材料の利用によりさらに向上する。上述の材料はさらに、摩擦傾向にある２つの物体を、簡単で便利な、問題の発生しない信頼性のある方法で分離する利点を有する。
【００２１】
本発明の別の好ましい実施形態においては、ライザブラシは例えば黄色または赤色など特定の色であり、これにより、危険ゾーンに対する優れた認識能力が得られる。
【００２２】
本発明の別の好ましい実施形態においては、ライザブラシは、ブラシストリップに、吹きつけ、接着、ネジ留め、内部への接着または嵌め込みで固定される。したがって、ブラシの経済的および簡単な通常の製作方法を利用できる。
【００２３】
ライザブラシはエスカレータのステップのライザ面に配置される場合、このようなステップは半完成品として簡単で経済的な方法で製作され、迅速で簡単な方法でエスカレータに装着される。
【００２４】
本発明の最後の実施形態においては、ライザブラシをライザ面に取り付けることにより、トレッド面およびライザ面を有するステップを備えるエスカレータを最新化できる。
【００２５】
さらに、従来の搬送装置であっても、この最新化方法により、簡単で迅速な方法の上述の利点から利益を得ることができる。
【発明を実施するための最良の形態】
【００２６】
本発明の実施形態の例は図１から図６に図示され、以下に詳細に説明されている。
【００２７】
図１では、トレッド面６およびライザ面７を有するエスカレータの２つのステップ１’および１が詳細に示されており、ライザブラシ３がライザ面７に配置されている。好ましくは、ライザブラシ３はライザ面７の幅全体に沿って、ライザ面７に対してほぼ平行に配置される。ライザブラシは、ライザの縁部またはライザの全体領域にわたって、およびライザの全領域に沿って装着できる。
【００２８】
側板を備えるエスカレータの場合、ライザブラシ３はエスカレータの全ステップ１および１’に装着される。ライザブラシ３は、接触を最小化することにより、靴、傘、バッグ、ビニール袋またはその他の物体の挟み込み、または引きずりを防止する。ライザブラシ３はすべての異物、例えば新聞の切れ端、ビニール袋、小石、服の繊維、粗い埃および雪ならびに氷の侵入を防止する。
【００２９】
ライザブラシ３の主な利点は、扇形の、遮断するような配列にある。ステップの空隙は閉じられ、エスカレータのステップの側縁への接近は不可能である。ライザブラシ３の別の利点は、固定された端部部材または静止プレートに対する柔軟性にある。したがって、履物との水平方向の接触は柔軟に偏向され、必要とされる間隔要件に制限されない。
【００３０】
ライザブラシ３は、合成材料の剛毛の閉じた壁のように、ステップの空隙への侵入または接近を防止する。封入され、密閉された、ほぼ不透過性の剛毛の境界は、２つのエスカレータのステップ１’と１’の間に配置されている。
【００３１】
図３および図４に示されているとおり、ライザブラシ３はブラシストリップ２に取り付けられている。これらのブラシストリップ２は、エスカレータのステップ１のライザのガイドスロット４（図４を参照）に沿って運動し、誘導される。２つのエスカレータのステップ１または１’が水平運動から別の垂直運動に移行すると、２つのエスカレータのステップ１および１’はライザ領域に沿って互いに変位する。この相互運動の場合、後続のエスカレータのステップ１’は、ブラシストリップ支持体２’の位置のブラシストリップ２をガイドスロット４に沿って下方に引く。エスカレータのステップ１および１’が別の垂直運動から完全な水平運動に進行すると、ブラシストリップ２は、エスカレータのステップ１の後部側上のブラシ復帰ガイド５（図４を参照）により、ガイドスロット４の引張バネまたは復元バネ、あるいは連行または拘束ガイドによって、ガイドスロット４内の受面まで後方に誘導される。ガイドスロット４内の受面は、エスカレータのステップ１が水平方向に移動する間に、ライザブラシ３がエスカレータ１と１’、およびそれらのトレッド面を超えて突出しないように、配置される。
【００３２】
ライザブラシ３はブラシストリップ２に、吹きつけ、接着、ネジ留め、内部への接着または嵌め込みで固定される。
【００３３】
このようなライザブラシ３は例えば黄色であり、そのため、乗客に対して、空隙が存在することの明確に目に見える表示を与えられる。したがって、危険性または危険状態が明確に目に見えるようになる。
【００３４】
さらに、ライザブラシは、合成材料の端部の代わりにトレッドリミッタとして使用できる。この実施形態においては、ライザブラシは、合成材料の端部の面全体にわたり、ライザに沿って挿入される。
【００３５】
ライザブラシ３は、乗客に対する防壁または障害物を形成し、またはライザとの接触を不可能または困難にする。ライザの空隙との接触を発生せず、挟み込みまたは押し込みまたは詰め込みは不可能である。したがって、ライザブラシ３は移動するエスカレータのステップを分離する。
【００３６】
ライザブラシ３によって、一緒に滑り込むことは完全に避けられる。さらに、ライザブラシ３は乗客数の荷重に耐えるような小型の構造体である。したがって、永久的な、耐性のある、丈夫なブラシ材料、たとえば合成材料の剛毛または真鍮の金属毛または亜鉛メッキ鋼のワイヤの金属毛などを使用できる。ライザブラシ３の十分な寸法および設計は、その上に乗る乗客の数および結果的に荷重により決められる。
【００３７】
本発明の好ましい実施形態によれば、ライザブラシの剛毛の先端は丸くなっている。これは剛毛と接触する乗客の怪我の危険性を低減する利点があるからである。
【００３８】
本発明の別の実施形態によれば、ブラシの剛毛は波型である。これは、このような剛毛は形状の安定性が高く耐用年数が長いという利点があるからである。
【００３９】
図５は直線状の剛毛を備えるライザブラシ３、図６は波形の剛毛を備えるライザブラシ３を示している。
【００４０】
波形構造は剛毛の機械的強度を向上し、物体または乗客により作用する力の分布をよくする。波形構造は直線状の剛毛と比較すると、縦軸に対して斜め方向への曲げに対抗して剛毛を安定させる。直線状の剛毛は縦軸方向に押されると、剛毛は曲がり、もはや反発力を発揮しない。これと比較すると、波形の剛毛は、波形で保存されるバネ応力として縦軸方向に圧力を受け、その方向に剛毛を保持し、曲がらない。
【００４１】
さらに波形構造は、ライザ面７との点状の接触により、摩擦を低減する。
【００４２】
波形の剛毛は、その密度により、走行している、駆動されたエスカレータのステップ１と１’の間の空間または空隙を大幅に低減し、乗客の足が空間または空隙に挿入される危険性をさらに低減する。
【００４３】
トレッド面６およびライザ面７を有するエスカレータのステップ１において、工場で問題の発生しない方法でライザ面７にライザブラシ３を配列することは可能である。
【００４４】
この解決方法により、エスカレータのライザブラシ３の迅速で簡単な取り付けを可能にし、生産コストおよび組立コストを低減できる。
【００４５】
さらに、ライザブラシ３をライザ面７に取り付けることにより、トレッド面６およびライザ面７を有するステップ１および１’を備えるエスカレータを最新化できる。
【００４６】
この最新化方法は、操作上の信頼性および乗客の安全性に関して、詰まり、挟み込みまたは押し込みの危険性が防止されるため、ライザブラシ３を取り付けることにより、エスカレータの迅速で簡単な改良を可能にする。
【図面の簡単な説明】
【００４７】
【図１】本発明によるステップブラシを備えるエスカレータステップの概略配列を示す図である。
【図２】図１の概略配列の機械的な詳細を示す図である。
【図３】図１の細部Ａを示す図である。
【図４】図２の細部Ｂを示す図である。
【図５】直線状の剛毛を備えるライザブラシを示す図である。
【図６】波形の剛毛を備えるライザブラシを示す図である。
【符号の説明】
【００４８】
１  先行のステップ
１’後続のステップ
２  ブラシストリップ
２’ブラシストリップ支持体
３  ライザブラシ
４  ガイドスロット
５  ブラシ復帰ガイド
６  トレッド面
７  ライザ面
【図１】
2006143475.tif 000003
【図２】
2006143475.tif 000004
【図３】
2006143475.tif 000005
【図４】
2006143475.tif 000006
【図５】
2006143475.tif 000007
【図６】
2006143475.tif 000008
【外国語明細書】
2006143475.tif 000009
2006143475.tif 000010
2006143475.tif 000011
2006143475.tif 000012
2006143475.tif 000013
2006143475.tif 000014
2006143475.tif 000015
2006143475.tif 000016
2006143475.tif 000017
2006143475.tif 000018
2006143475.tif 000019
2006143475.tif 000020
2006143475.tif 000021
2006143475.tif 000022
2006143475.tif 000023
2006143475.tif 000024
2006143475.tif 000025
2006143475.tif 000026
2006143475.tif 000027